(57)【要約】      （修正有）【課題】卓上空間を占用しないと共に、石鹸表面が正常に乾燥することを確実にすることができ、構造が簡単で、手軽で素早く使用でき、使用可能な範囲が広く、安全且つ衛生的といった特徴を有する石鹸懸吊装置を提供する。【解決手段】ブラケット１と、吊り具２とを含み、ブラケットの第一端部は、外部における縦平面に固着され、石鹸４は、吊り具を通じてブラケットの第二端部に離脱可能に固定される。【選択図】図１
0003178652.tif 000002
【実用新案登録請求の範囲】
【請求項１】
ブラケットと、吊り具とを含み、前記ブラケットの第一端部は、外部における縦平面に固着され、石鹸は、前記吊り具を通じて前記ブラケットの第二端部に離脱可能に固定されることを特徴とする、石鹸懸吊装置。
【請求項２】
前記ブラケットの第二端部には、懸吊連結部品が設けられており、前記吊り具の頂部は、離脱可能に前記懸吊連結部品に連結されることを特徴とする、請求項１に記載の石鹸懸吊装置。
【請求項３】
前記懸吊連結部品は永久磁石体であり、前記吊り具は磁気伝導金属を用いることを特徴とする、請求項２に記載の石鹸懸吊装置。
【請求項４】
前記懸吊連結部品の下部表面は、円弧面であることを特徴とする、請求項３に記載の石鹸懸吊装置。
【請求項５】
前記ブラケットの第一端部には、ベース部が形成され、前記ベース部はシリコーンゴム材料又はＰＶＣ静電式粘着フィルムによって前記外部における縦平面に吸着して固着されることを特徴とする、請求項２から請求項４のいずれかに記載の石鹸懸吊装置。
【請求項６】
前記吊り具の数量は２つであり、前記２つの吊り具は、前記石鹸の両端部にそれぞれ固着されることを特徴とする、請求項５に記載の石鹸懸吊装置。
【請求項７】
前記ベース部には、収納溝が形成されることを特徴とする、請求項５に記載の石鹸懸吊装置。
【考案の詳細な説明】
【技術分野】
【０００１】
本実用新案は置き装置、特に石鹸懸吊装置に関する。
【背景技術】
【０００２】
これまで、我々が石鹸を使用した後、表面が濡れている石鹸を直ちに石鹸箱の中に置くことが通常であった。石鹸箱は、一定の卓上空間を占用するほか、水を溜め込んでいるため、石鹸の表面が部分的に乾燥しにくくなる。こうして石鹸には、部分的に溶けて柔らかなる現象が現れ、石鹸の浪費をもたらすと共に石鹸の洗浄効果をも低下させてしまう。また、溶出した石鹸液は、時間が経つにつれて石鹸箱などの容器をひどく汚してしまうため、使用者が石鹸箱内の溜め液と汚れを常に掃除せざるを得なくなって、使用者に多くの不便をもたらした。これまで、上述した問題を有効的に解決できる石鹸置き装置は存在しなかった。
【考案の概要】
【考案が解決しようとする課題】
【０００３】
本実用新案の目的は、現行技術の欠陥を克服し、卓上空間を占用しないと共に、石鹸表面が正常に乾燥することを確実にすることができ、構造が簡単で、手軽で素早く使用でき、使用可能な範囲が広く、安全且つ衛生的といった特徴を有する置き装置を実現するように、石鹸懸吊装置を提供することにある。
【課題を解決するための手段】
【０００４】
上述した目的を実現するための技術的手段は以下の通りである。
【０００５】
本実用新案の石鹸懸吊装置は、ブラケットと、吊り具とを含み、前記ブラケットの第一端部は、外部における縦平面に固着され、石鹸は、前記吊り具を通じて前記ブラケットの第二端部に離脱可能に固定される。
【０００６】
前記ブラケットの第二端部には、懸吊連結部品が設けられており、前記吊り具の頂部は、離脱可能に前記懸吊連結部品に連結される。
【０００７】
前記懸吊連結部品は永久磁石体であり、前記吊り具は磁気伝導金属を用いる。
【０００８】
前記懸吊連結部品の下部表面は、円弧面である。
【０００９】
前記ブラケットの第一端部には、ベース部が形成され、前記ベース部はシリコーンゴム材料又はＰＶＣ静電式粘着フィルムによって前記外部における縦平面に吸着して固着される。
【００１０】
前記吊り具の数量は２つであり、前記２つの吊り具は、前記石鹸の両端部にそれぞれ固着される。
【００１１】
前記ベース部には、収納溝が形成される。
【考案の効果】
【００１２】
本実用新案は、上記技術手段を採用したため、下記に示す有益な効果を有する。
【００１３】
即ち、石鹸はブラケットに離脱可能に吊り下げて固定されるため、卓上空間を占用することがなく、石鹸の表面が正常に乾くことを確実にすることができる。これによって、石鹸から生じた液溜まりや汚れが衛生的でない問題と、柔らかくなって溶けてしまい、耐久性が悪い問題といった、石鹸箱を使用する場合に生じる保管上の問題が解決される。吊り具の底部に波形部を形成することによって、吊り具が石鹸の端部から抜け出さないことを確実にすることができる。連結部と懸吊連結部品との組み合せによって、石鹸を吊り下げたり、取り外して使用したりすることが手軽で素早くできる。懸吊連結部品は、下部表面が円弧面を呈する永久磁石である場合、吊り具の連結部と懸吊連結部品とにおいて、点と面による連結がなされることによって、磁気作用による石鹸の吊り下げ、及びブラケットと石鹸との手軽で素早い離脱が実現されたほか、磁場の引力範囲は、磁体中心吸着点に導かれて集められるため、吊り具を懸吊連結部品から手軽で素早く離脱させることができ、引っ張ることによって吊り具が石鹸の端部から抜け出してしまうことはない。石鹸の両端部に２つの吊り具をそれぞれ固定することによって、石鹸を更に便利に吊り下げることができる。
【図面の簡単な説明】
【００１４】
【図１】本実用新案による石鹸懸吊装置の実施形態１を示す構造模式図である。
【図２】本実用新案による石鹸懸吊装置の実施形態１の吊り具を示す構造模式図である。
【図３】本実用新案による石鹸懸吊装置の実施形態１の吊り具の取り付けステップを示す模式図である。
【図４】本実用新案による石鹸懸吊装置の実施形態２を示す構造模式図である。
【図５】本実用新案による石鹸懸吊装置の実施形態３を示す構造模式図である。
【図６】本実用新案による石鹸懸吊装置の実施形態４を示す構造模式図である。
【考案を実施するための形態】
【００１５】
以下、具体的な実施形態を参照して、本実用新案に対して更なる説明を行う。
【００１６】
［実施形態１］
図１を参照し、本実用新案の石鹸懸吊装置は、ブラケット１と、２つの吊り具２とを含む。ブラケット１は、ブラケット１の第一端部に設置されたベース部１２と、吊りアーム１３と、ブラケット１の第二端部に設置された懸吊連結部品１１とを含む。ベース部１２は、壁用粘着材１４によって外部における縦平面３に吸着して固着される。壁用粘着材１４としては、シリコーンゴム材料又はＰＶＣ静電式粘着フィルムが用いられ、外周辺の形状が任意であって、図柄及び文字が印刷されてもよい。壁用粘着材１４は、懸吊装置を随時に位置変更させ改めて設置できると共に、壁面に傷をつけたり汚れを残したりしないといった特徴を有する。吊りアーム１３の第一端部は、ベース部１２に係合して固定され、吊りアーム１３の第二端部の下部表面は、懸吊連結部品１１の頂部と固接される。２つの吊り具２は、石鹸の両端部にそれぞれ固着されると共に、２つの吊り具２の頂部には、懸吊連結部品１１に組み合わせる連結部２１が形成されている。石鹸４は、吊り具２を通じてブラケット１の懸吊連結部品１１に離脱可能に固定される。懸吊連結部品１１の表面が錆防止のためにメッキされることによって、懸吊連結部品１１が錆びることが防止される。ベース部１２と吊りアーム１３との表面には、金属の質感を有する装飾層がメッキされ、より美しい外観が付与される。夜間でも便利に使用できるように、壁用粘着材１４、ベース部１２及び吊りアーム１３は、蓄光可能な夜光性材料を用いてもよい。壁用粘着材１４、ベース部１２及び吊りアーム１３のいずれもが、実際の使用時の必要性に応じて、適切な可塑性及び強度を有するポリエチレンテレフタラート（ＰＥＴ）、ポリカーボネート（ＰＣ）、ポリプロピレン（ＰＰ）、アクリロニトリル −ブタジエン−スチレン（ＡＢＳ）といったプラスチック材のうちの１つを用いて製作される。
【００１７】
石鹸４は、ブラケット１に離脱可能に吊り下げられて固定されているため、卓上空間を占用しないと共に、石鹸の表面が正常に乾燥することを確実にすることができ、石鹸４から生じた液溜まり及び汚れが衛生的でない問題、石鹸が軟らかくなって溶けてしまい、耐久性が悪い問題といった、石鹸箱使う場合に生じる保管問題が解決される。石鹸４の両端部の中心に吊り具２が設置されることで、使用者が石鹸のいずれの端部を握るとしても、石鹸４を吊りアーム１３に自由に掛けることができるだけでなく、石鹸４の通常な使用にも影響を及ぼさない。
【００１８】
図２を参照し、吊り具２の底部には、波形部２２が形成され、吊り具２が波形部２２を介して石鹸４の端部に固着されることによって、吊り具２が石鹸４の端部から抜け出さないことを確実にすることができる。連結部２１は、フック状であってよく、円環状であってもよく、懸吊連結部品１１と組み合わせることによって、石鹸４を吊り下げたり、取り外して使用したりすることが手軽で素早くできる。懸吊連結部品１１が円環状として構成され、連結部２１がフック状である場合、連結部２１は、懸吊連結部品１１の環状穴内を貫通して設置される。吊り具２の連結部２１と波形部２２との間に、位置制限プレート２３が形成されることによって、吊り具２を石鹸４に取り付けることが更に手軽で素早くできる。吊り具２は錆防止材料を用いており、吊り具２が錆びること、及び石鹸４が汚染されることを防止する。釣り具本体の末端は、斜めの扁平状である。
【００１９】
図３を参照し、吊り具２を取り付ける時、位置制限プレート２３が石鹸４の表面に当接し、且つ吊り具２の正面が石鹸４の正面と平行になるように、吊り具２の波形部２２を石鹸４の第一端部の中心部に直接に挿入する。この時、該吊り具２と石鹸４とが固着して一体となる。そして、同じステップで石鹸４の第二端部の中心部に他方の吊り具２を取り付けることで、石鹸４の両端部の吊り具２の取り付けが完成される。
【００２０】
吊り具２と石鹸４とが連結されて固着される際の強度は、両方の相対的な大きさ及び、石鹸４の硬さと粘度によって決められる。吊り具２が大きすぎると、石鹸４の通常使用が影響され、あるいは、石鹸４に挿入しにくくなり、又は装入後に石鹸４が破裂してしまう。一方、吊り具２が小さ過ぎると、石鹸４の重さ又は石鹸４を取る時の引っ張り力に耐えられず、石鹸４から容易に外れてしまう。吊り具２は、底部に波形部２２が形成されると共に、波形部２２を通じて石鹸４の中に挿入されて位置決めされる。これによって、石鹸４が破裂することなく容易に挿入できることだけでなく、石鹸４から外れることなく一体に固定できることをも要求される吊り具２の問題は解決され、吊り具２は様々な種類の石鹸に適用できる。吊り具２の正面は石鹸４の正面と平行となるため、石鹸４を使用する過程において、吊り具２が使用者にもたらす妨害及び影響を最大限に軽減することが実現される。
【００２１】
［実施形態２］
図４を参照し、本実施形態と上記実施形態との相違点は、懸吊連結部品１１は永久磁石体であって、吊り具２として磁気伝導金属を用いており、永久磁石体の下部表面及び連結部２１のいずれもが、平面であることにある。永久磁石体の材質として、ネオジム鉄ボロン（ＮｄＦｅＢ）希土類の材料が用いられる。
【００２２】
［実施形態３］
図５を参照し、本実施形態と上記の実施形態との相違点は、懸吊連結部品１１の下部表面は円弧面であることにある。
【００２３】
懸吊連結部品１１の下部表面は、円弧面であって、吊り具２の連結部２１が、永久磁石体の磁場の引力範囲に入った後、磁気力の影響で連結部２１は、磁体中心吸着点（即ち、円弧面の下端点）に自動的にガイドされて吸引され、吊り具２の連結部２１と懸吊連結部品１１とにおいて、点と面による連結がなされる。石鹸４は、吸着されて空中にぶら下がる時、重力作用によって、垂直に懸吊されるようにバランスの取れた状態を始終に保つことができる。このような連結方法は、一般的な磁石体での平面と平面との吸着に比べて、接触面における吸引作用力が弱まるが、連結部２１は依然として磁場の引力範囲による全面的牽引を受けており、連結部２１と懸吊連結部品１１の磁体中心吸着点とが緊密に吸着し合って連結される。このため、石鹸４を取り外す時に、外力が磁石体の吸着力よりやや大きくなるだけで、連結部２１を磁場の引力から迅速に脱出させることができ、石鹸４とブラケット１とを瞬時に離間させることができる。このことから、引っ張る際に磁気力が大きすぎることによって、吊り具２と石鹸４とが分離してしまうことはない。永久磁石体の吸引磁気力は、吸引される石鹸４の重力の２倍であることが好ましい。
【００２４】
［実施形態４］
本実施形態と実施形態１との相違点は、ベース部１２には、収納溝１２１が形成されており、吊り具２の紛失を避けるように、使用しない場合、吊り具２を該収納溝１２１の中に収納できることにある。
【００２５】
以上、図面を参照し、本実用新案を詳しく説明した。本分野における通常技術を有する者は、上述した説明に基づき本実用新案に対して種々な変更例を実施することができる。従って、本実用新案は、本実施形態における幾つかの細部によって限定されず、実用新案登録請求の範囲を本実用新案の保護範囲とする。
【符号の説明】
【００２６】
１  ブラケット
２  吊り具
３  縦平面
４  石鹸
１１  懸吊連結部品
１２  ベース部
１３  吊アーム
１４  壁用粘着材
２２  波形部
２１  連結部
２３  位置制限プレート
１２１  収納溝  
【図１】
0003178652.tif 000003
【図２】
0003178652.tif 000004
【図３】
0003178652.tif 000005
【図４】
0003178652.tif 000006
【図５】
0003178652.tif 000007
【図６】
0003178652.tif 000008